(57)【特許請求の範囲】
【請求項１】
鉄軽金属で形成した外箱と、樹脂にて形成された内箱の間の空間に断熱材を発泡充填して形成された冷蔵庫において、電気・電子部品または各種配線の接続部などよりなる電装品を収容するとともに合成樹脂で形成された電装品ケースと、前記外箱の背面に形成された凹部と、この凹部を覆う鉄系金属で形成された蓋と、前記電装品ケースを前記凹部に固定するための固定具であって、一端が前記電装品ケースに固着されるとともに他端が前記外箱を貫通して設けられ、前記断熱材の発泡充填時に固定された固定具とを備え、前記凹部に前記電装品ケースを収納して前記蓋を取り付けることを特徴とする冷蔵庫。
【発明の詳細な説明】
【０００１】
【発明の属する技術分野】
本発明は電装品ケースを装着した冷蔵庫に関するものであり、さらに詳しくは部品数を削減しリサイクル性を向上した冷蔵庫に関するものである。
【０００２】
【従来の技術】
従来、図３〜４に示すような冷蔵庫が知られている（例えば、実開平１０−１８１８９号公報、実開昭６２−１５２１８９号公報など）。図３は、電気・電子部品などを装着する前の冷蔵庫の縦断面説明図であり、図４は、電気・電子部品などを装着した冷蔵庫の斜視図である。
１は外箱本体、２は外箱背面板本体、２Ａは外箱本体１と外箱背面板本体２に固定された外箱背面板、３は電気・電子部品４などを収容して実装する合成樹脂で形成された電装品ケースで外箱背面板２Ａに形成された凹部２Ｂに沿うように取り付けられている。５は冷蔵庫の庫内壁となる合成樹脂で形成された内箱、６は内箱５と外箱背面板本体２および外箱背面板２Ａとの空間に充填された発泡ポリウレタン断熱材である。７は外箱本体側配線接続端子、８は外箱背面板２Ａに装着した電装品ケース３を覆う蓋、９はビスである。外箱本体側配線接続端子７には電気・電子部品４などの側の配線接続端子が接続される。
上記冷蔵庫は電気・電子部品４などにより制御されて図示しない冷凍サイクルで冷却された冷気を冷蔵庫内に送風し、庫内が冷却されるようになっている。
【０００３】
【発明が解決しようとする課題】
図３〜４に示した従来の冷蔵庫の外箱本体１、外箱背面板本体２、蓋８などはリサイクルし易い鉄系金属で形成されていたが、合成樹脂で形成された電装品ケース３を装着する外箱背面板２Ａは難燃性樹脂あるいは難燃性樹脂組成物で形成されていたので、冷蔵庫の使用後、リサイクルして各部材を再使用する際には、この外箱背面板２Ａを特に取り外して別扱いでリサイクルしなければならず、手間がかかり、リサイクルし難いという問題があった。
また、電装品ケース３の取り付けはビス９を用いて行われていたので、手間がかかり煩雑であるという問題があった。
【０００４】
そこで、本発明の第１の目的は、部品数を削減するとともに、リサイクル性を向上した冷蔵庫を提供することであり、また、本発明の第２の目的は、電装品ケースをビスを用いず外箱背面板に容易に固定して取り付けた冷蔵庫を提供することである。
【０００５】
【課題を解決するための手段】
本発明の請求項１の発明は、鉄軽金属で形成した外箱と、樹脂にて形成された内箱の間の空間に断熱材を発泡充填して形成された冷蔵庫において、電気・電子部品または各種配線の接続部などよりなる電装品を収容するとともに合成樹脂で形成された電装品ケースと、前記外箱の背面に形成された凹部と、この凹部を覆う鉄系金属で形成された蓋と、前記電装品ケースを前記凹部に固定するための固定具であって、一端が前記電装品ケースに固着されるとともに他端が前記外箱を貫通して設けられ、前記断熱材の発泡充填時に固定された固定具とを備え、前記凹部に前記電装品ケースを収納して前記蓋を取り付けることを特徴とする冷蔵庫に関する。
【０００７】
【発明の実施の形態】
以下、本発明の実施の形態を図１〜図２に基づいて詳細に説明する。
図１は、電気・電子部品などを装着する前の本発明の冷蔵庫の一組み立て方法を示す縦断面説明図であり、図２（Ａ）は、本発明の他の冷蔵庫の組み立て方法を示す縦断面説明図であり、図２（Ｂ）は、固定具の頭部を挿入する穴の平面を拡大して示す説明図である。
【０００８】
図１〜図２において、１は鉄系金属で形成した外箱本体、２は外箱背面板本体、２Ｃは外箱本体１と外箱背面板本体２に固定された鉄系金属で形成された外箱背面板、３Ａは図示しない電気・電子部品などを収容して実装する合成樹脂で形成された電装品ケースであり、電装品ケース３Ａを矢印で示した方向に挿入して外箱背面板２Ｃに形成された凹部２Ｂに沿うように取り付ける。５は冷蔵庫の庫内壁となる合成樹脂にて形成された内箱、６は内箱５と外箱背面板本体２および外箱背面板２Ｃとの空間に充填された発泡ポリウレタン断熱材である。７は外箱本体側配線接続端子、８は外箱背面板２Ｃに装着した電装品ケース３Ａを覆う鉄系金属で形成された蓋である。外箱本体側配線接続端子７には前記図４に示したような電気・電子部品４などの側の配線接続端子が接続される。
上記冷蔵庫は図示しない電気・電子部品４などにより制御されて冷凍サイクルで冷却された冷気を冷蔵庫内に送風し、庫内が冷却されるようになっている。
【０００９】
電装品ケース３Ａが外箱背面板２Ｃに当接する面に固定して取り付けたＬ字型固定具１０を外箱背面板２Ｃを貫通させて内箱５と外箱背面板２Ｃとの空間に充填された発泡ポリウレタン断熱材６に埋設して電装品ケース３Ａを外箱背面板２Ｃに装着してある。
【００１０】
電装品ケース３Ａの取り付けはビスなどを用いず、上記のように電装品ケース３Ａの底部に設けた複数のＬ字型固定具１０によって装着するするようにしたので、装着が容易となり、しかも確実に装着できる。電装品ケース３ＡのＬ字型固定具１０の形成方法は、Ｌ字型固定具１０が電装品ケース３Ａの底部に一体に形成されていても、図１〜図２に示したようにＬ字型固定具１０が電装品ケース３Ａとは別に形成されていても、あるいは両者の組み合わせであってもよく特に限定されない。Ｌ字型固定具１０を電装品ケース３Ａとは別に形成する方法は電装品ケース３Ａの取り付けがより容易になり好ましい。
【００１１】
Ｌ字型固定具１０を電装品ケース３Ａとは別に形成し、別に形成したＬ字型固定具１０を用いて電装品ケース３Ａを外箱背面板２Ｃに装着する方法について説明する。まず、Ｌ字型固定具１０を外箱背面板２Ｃに予め設けた穴１１に貫通させて設置した後、内箱５と外箱背面板２Ｃとの空間にポリウレタン発泡性組成物を流し込んで発泡させてこの空間に充填された発泡ポリウレタン断熱材６にＬ字型固定具１０を埋設して装着する。そして、電装品ケース３Ａを矢印で示した方向に挿入して、電装品ケース３Ａの底部に設けた穴１２に対応するＬ字型固定具１０の頭部１３を挿入し、電装品ケース３Ａを外箱背面板２Ｃに装着する。
【００１２】
図２（Ａ）に示した例では、Ｌ字型固定具１０の頭部１３の下方に固定補助部１４を一体に設けた例を示す。図２（Ｂ）は穴１２の平面を拡大して示す説明図である。固定補助部１４をＬ字型固定具１０の頭部１３の下方に一体に設けたのでＬ字型固定具１０を外箱背面板２Ｃに、より確実に、容易に設置できる。また、穴１２の回りに４つの切り込み１５を等間隔に設けてあるので、穴１２に対応するＬ字型固定具１０の頭部１３をより容易に挿入できる。
【００１３】
なお、本発明は上記実施例に限定されるものではないので、特許請求の範囲に記載の趣旨から逸脱しない範囲で各種の変形実施が可能である。
【００１４】
【発明の効果】
鉄軽金属で形成した外箱と、樹脂にて形成された内箱の間の空間に断熱材を発泡充填して形成された冷蔵庫において、電気・電子部品または各種配線の接続部などよりなる電装品を収容するとともに合成樹脂で形成された電装品ケースと、前記外箱の背面に形成された凹部と、この凹部を覆う鉄系金属で形成された蓋と、前記電装品ケースを前記凹部に固定するための固定具であって、一端が前記電装品ケースに固着されるとともに他端が前記外箱を貫通して設けられ、前記断熱材の発泡充填時に固定された固定具とを備え、前記凹部に前記電装品ケースを収納して前記蓋を取り付けた本発明の冷蔵庫は、難燃性樹脂あるいは難燃性樹脂組成物で形成された外箱背面板を用いないので部品数が削減でき、リサイクル性が向上し、電装品ケースをビスを用いずに、電装品ケースを外箱背面板に容易に固定して取り付けることができる。
【図面の簡単な説明】
【図１】  電気・電子部品などを装着する前の本発明の冷蔵庫の一組み立て方法を示す縦断面説明図である。
【図２】  （Ａ）は、本発明の他の冷蔵庫の組み立て方法を示す縦断面説明図であり、（Ｂ）は、固定具の頭部を挿入する穴の平面を拡大して示す説明図である。
【図３】  電気・電子部品などを装着する前の従来の冷蔵庫の縦断面説明図である。
【図４】  電気・電子部品などを装着した従来の冷蔵庫の斜視図である。
【符号の説明】
１  外箱本体
２  外箱背面板本体
２Ｂ  凹部
２Ａ、２Ｃ  外箱背面板
３、３Ａ  電装品ケース
４  電気・電子部品
５  内箱
６  発泡ポリウレタン断熱材
７  外箱本体側配線接続端子
８  蓋
９  ビス
１０  固定具
【図１】
0003685636.tif 000002
【図２】
0003685636.tif 000003
【図３】
0003685636.tif 000004
【図４】
0003685636.tif 000005